(57)【要約】【課題】簡単な操作で所定領域をユーザー所望の倍率で拡大して位置を指定することができるようにする。【解決手段】ＣＰＵ１０１はタッチパネルによって操作面に対するタッチ操作が検知された際、操作面に対する所定面積未満のタッチ面積でタッチしたまま移動する操作が行われたことに応じて表示部における位置を指定する第１の機能を実行し、操作面に対する所定面積以上のタッチ面積でタッチしたまま移動する操作が行われたことに応じて、表示部に表示された画像を拡大する第２の機能を実行するように制御する。【選択図】図３
2019125850.tif 000002
【特許請求の範囲】
【請求項１】
操作面に対するタッチ操作を検知するタッチ検知手段と、
前記操作面に対する所定面積未満のタッチ面積でタッチしたまま移動する操作が行われたことに応じて、表示手段における位置を指定する第１の機能を実行し、前記操作面に対する所定面積以上のタッチ面積でタッチしたまま移動する操作が行われたことに応じて、前記表示手段に表示された画像を拡大する第２の機能を実行するように制御する制御手段と、
を有することを特徴とする電子機器。
【請求項２】
光学像に応じた画像を前記表示手段に表示する撮像手段を備え、
前記タッチ検知手段は前記表示手段の画面である前記操作面に対するタッチ操作を検知し、
前記制御手段は、前記第１の機能によって前記表示手段における位置を前記画像におけるフォーカスエリアとして指定することを特徴とする請求項１に記載の電子機器。
【請求項３】
前記制御手段は、前記タッチした状態における移動量に応じて前記画像を拡大する拡大率を変更することを特徴とする請求項１又は２に記載の電子機器。
【請求項４】
前記制御手段は、前記タッチした状態における移動の方向に応じて前記画像を拡大する拡大率を変更することを特徴とする請求項１又は２に記載の電子機器。
【請求項５】
前記制御手段は、前記タッチ検知手段で検知された前記操作面におけるタッチ領域を楕円に近似して、前記タッチした状態における移動が前記楕円の長軸方向における移動であるか又は前記楕円の短軸方向における移動であるかに応じて前記画像を拡大する拡大率を変更することを特徴とする請求項１又は２に記載の電子機器。
【請求項６】
前記画像を表示するための接眼ファインダーを備え、
前記表示手段は前記接眼ファインダーに備えられており、前記操作面は前記接眼ファインダーの他に備えられた表示部における画面であることを特徴とする請求項１に記載の電子機器。
【請求項７】
前記接眼ファインダーに対する接眼を検知する接眼検知手段をさらに有し、
前記制御手段は、前記接眼検知手段によって前記接眼ファインダーに対する接眼が検知されたことに応じて、前記表示手段に対する前記画像の表示を開始するように制御することを特徴とする請求項６に記載の電子機器。
【請求項８】
前記制御手段は、前記接眼検知手段によって前記接眼ファインダーに対する接眼が検知されない場合には、前記表示手段に前記画像を表示せずに前記表示部に前記画像を表示することを特徴とする請求項７に記載の電子機器。
【請求項９】
電子機器の制御方法であって、
操作面に対するタッチ操作を検知するタッチ検知ステップと、
前記操作面に対する所定面積未満のタッチ面積でタッチしたまま移動する操作が行われたことに応じて、表示手段における位置を指定する第１の機能を実行し、前記操作面に対する所定面積以上のタッチ面積でタッチしたまま移動する操作が行われたことに応じて、前記表示手段に表示された画像を拡大する第２の機能を実行するように制御する制御ステップと、
を有することを特徴とする制御方法。
【請求項１０】
コンピュータを、請求項１乃至８のいずれか１項に記載された電子機器の各手段として機能させるためのプログラム。
【請求項１１】
コンピュータを、請求項１乃至８のいずれか１項に記載された電子機器の各手段として機能させるためのプログラムを格納したコンピュータが読み取り可能な記憶媒体。
【発明の詳細な説明】
【技術分野】
【０００１】
本発明は、電子機器、その制御方法、およびプログラム、並びに記憶媒体に関し、特に、電子機器に１つである撮像装置における画像の表示制御に関する。
【背景技術】
【０００２】
一般に、電子機器の１つであるデジタルカメラなどの撮像装置においては画像などを表示するための表示部が備えられている。そして、この種の撮像装置において、ユーザー操作に応じて背面モニタに表示された画像を縮小又は拡大して表示するようにしたものがある。例えば、シャッターボタンの所謂半押し操作が行われると、表示部に表示された画像の所定領域を拡大して表示するようにした撮像装置がある（特許文献１）。
【先行技術文献】
【特許文献】
【０００３】
【特許文献１】特開２０１３−２４７５４１号公報
【発明の概要】
【発明が解決しようとする課題】
【０００４】
ところで、上述のように、拡大表示された所定領域をフォーカスエリアとして選択する場合には、例えば、タッチパネルによって当該所定領域をタッチ操作する必要がある。
【０００５】
ところが、特許文献１に記載の手法では、まず、シャッターボタンの操作によって所定領域を拡大表示した後、タッチパネルのタッチ操作によって所定領域を選択する必要がある。つまり、特許文献１においては、フォーカスエリアの拡大および選択を別の操作部材で行う必要があり、ユーザーにとっては操作が煩雑となってしまう。
【０００６】
さらには、シャッターボタンを半押し操作して拡大表示する場合には、拡大率の調整が困難であり、ユーザー所望の拡大率で所定領域を拡大させることができない。
【０００７】
従って、本発明の目的は、簡単な操作で所定領域をユーザー所望の倍率で拡大して位置を指定することのできる電子機器、その制御方法、およびプログラム、並びに記憶媒体を提供することにある。
【課題を解決するための手段】
【０００８】
上記の目的を達成するため、本発明による電子機器は、操作面に対するタッチ操作を検知するタッチ検知手段と、前記操作面に対する所定面積未満のタッチ面積でタッチしたまま移動する操作が行われたことに応じて、表示手段における位置を指定する第１の機能を実行し、前記操作面に対する所定面積以上のタッチ面積でタッチしたまま移動する操作が行われたことに応じて、前記表示手段に表示された画像を拡大する第２の機能を実行するように制御する制御手段と、を有することを特徴とする。
【発明の効果】
【０００９】
本発明によれば、簡単な操作で所定領域をユーザー所望の倍率で拡大して位置を指定することができる。
【図面の簡単な説明】
【００１０】
【図１】本発明の実施の形態による電子機器の一例である撮像装置の構成を説明するための図である。
【図２】図１に示すカメラにおいて背面モニタの状態の検出を説明するための図である。
【図３】図１に示すカメラで行われる撮影動作を説明するためのフローチャートである。
【図４】図１に示すカメラで行われるタッチ操作に応じた処理を説明するための図である。
【図５】図１に示すカメラにおける画像の拡大表示の例を説明するための図である。
【発明を実施するための形態】
【００１１】
以下に、本発明の実施の形態による電子機器の一例について図面を参照して説明する。
【００１２】
図１は、本発明の実施の形態による電子機器の一例である撮像装置の構成を説明するための図である。そして、図１（ａ）は撮像装置の構成を示す図であり、図１（ｂ）は図１（ａ）に示す撮像装置を背面側から見た図である。
【００１３】
図示の撮像装置は、例えば、デジタルカメラ（以下単にカメラと呼ぶ）であり、カメラ本体１００および撮影レンズユニット（以下レンズユニットと呼ぶ）１１０を有している。そして、レンズユニット１１０はカメラ本体１００に対して着脱可能である。
【００１４】
カメラ本体１００には、マイクロコンピュータ（カメラマイコン：ＣＰＵ）１０１が備えられており、このＣＰＵ１０１には、揮発性メモリであるＲＡＭ１０２ａおよび不揮発性メモリであるＲＯＭ１０２ｂが接続されている。ＣＰＵ１０１はＲＯＭ１０２ｂに記録されたプログラムをＲＡＭ１０２ａに展開して実行して、カメラ全体の制御を行う。
【００１５】
カメラ本体１００には、撮像素子１０３が配置されており、撮像素子１０３として、例えば、ＣＣＤ又はＣＭＯＳセンサーが用いられる。なお、図示はしないが、撮像素子１０３には、例えば、赤外カットフィルタおよびローパスフィルタを有している。撮像素子１０３の前面側には、シャッター１０４が配置されており、非撮影時にはシャッター１０４によって撮像素子１０３が遮光される。一方、撮影の際には、シャッター１０４が開かれてレンズユニット１１０を介して光学像が撮像素子１０３に結像する。そして、撮像素子１０３は光学像に応じた画像信号を出力する。
【００１６】
ＣＰＵ１０１は画像信号に対して所定の画像処理を施して画像データを生成する。そして、ＣＰＵ１０１は画像データに応じた画像を表示部の１つである背面モニタ１０５に表示するとともに、電子ビューファインダー（ＥＶＦ）１０７に表示する。
【００１７】
カメラ本体１００の背面には背面モニタ１０５が配置されており、当該背面モニタ１０５はカメラ本体１００に対してその位置（姿勢）を変化することができる可動式の背面モニタである。なお、背面モニタ１０５は、例えば、有機ＥＬ又は液晶ディスプレイで構成されている。
【００１８】
背面モニタ１０５には、背面モニタ１０５に対する接触（タッチ）を検出可能なタッチパネル１０５ａが備えられ、背面モニタ１０５とタッチパネル１０５ａとは一体的に構成されている。例えば、タッチパネル１０５ａが光の透過を妨げないようにして背面モニタ１０５の表示面に貼りつけられる。
【００１９】
この際には、タッチパネル１０５ａにおける入力座標と背面モニタ１０５の表示座標とが対応付けられる。これによって、ユーザーが背面モニタ１０５の画面（操作面）を直接的に操作可能であるようなＧＵＩ（グラフィカルユーザーインターフェース）を構成することができる。なお、ここでは、背面モニタ１０５およびタッチパネル１０５ａは一体的に構成するようにしたが、背面モニタ１０５およびタッチパネル１０５ａを別々に設けるようにしてもよい。
【００２０】
さらに、図１（ｂ）に示すようにして、ＣＰＵ１０１はタッチ領域ＴＡを楕円で近似して、当該楕円の中心座標、長軸ａ、および短軸ｂを算出する。例えば、タッチ領域ＴＡを楕円で近似する際には、次の式（１）が用いられる。
【００２１】
【数１】
2019125850.tif 000003
【００２２】
式（１）において、係数Ａ、Ｂ、Ｃ、Ｄ、およびＥの各々は、タッチパネル１０５ａの出力がタッチ検知を判定する閾値を超えるタッチ領域ＴＡにおいて、その外周における複数の座標（Ｘｉ，Ｙｉ）と次の式（２）を用いて算出される。
【００２３】
【数２】
2019125850.tif 000004
【００２４】
これによって、楕円の中心（重心）の座標（Ｘ０，Ｙ０）が次の式（３）および式（４）によって求められる。
【００２５】
【数３】
2019125850.tif 000005
【００２６】
そして、楕円の長辺（長軸）ａおよび短辺（短軸）ｂは次の式（５）および式（６）と中心の座標（Ｘ０，Ｙ０）とによって算出される。
【００２７】
【数４】
2019125850.tif 000006
【００２８】
式（５）および式（６）において、θはタッチ入力角度であり、例えば、指でタッチ操作した際の指の形状を楕円で近似した場合のタッチ形状における長軸ａとタッチパネル１０５ａの基準軸とがなす角度である。そして、タッチ入力角度θは、次の式（７）で表される。
【００２９】
【数５】
2019125850.tif 000007
【００３０】
位置検出センサー１０６は背面モニタ１０５の位置（姿勢）を検出するためのセンサーであり、例えば、磁力センサーが用いられる。当該位置検出センサー１０６を複数備えて、互いに異なる位置に配置すれば、背面モニタ１０５の複数の位置（状態）を検出することができる。
【００３１】
図２は、図１に示すカメラにおいて背面モニタの状態の検出を説明するための図である。そして、図２（ａ）は背面モニタがカメラ本体に収納された第１の状態を示す図であり、図２（ｂ）は背面モニタがカメラ本体に収納された第２の状態を示す図である。また、図２（ｃ）は背面モニタがカメラ本体に収納されない第３の状態を示す図であり、図２（ｄ）は背面モニタがカメラ本体に収納されない第４の状態を示す図である。
【００３２】
図２（ａ）に示す状態（第１の状態）では、背面モニタ１０５は、表示画面が目視可能な状態でカメラ本体１００に収納される。つまり、背面モニタ１０５は、カメラ本体１００の背面側に表示画面を向けた状態でカメラ本体１００に収納される。図２（ｂ）に示す状態（第２の状態）では、背面モニタ１０５は、表示画面が目視不可の状態でカメラ本体１００に収納される。つまり、背面モニタ１０５は、カメラ本体１００の正面側に表示画面を向けた状態でカメラ本体１００に収納される。
【００３３】
図２（ｃ）に示す状態（第３の状態）では、背面モニタ１０５は、カメラ本体１００に収納されない状態でかつ表示画面がカメラ本体１００の背面側に向けられている。つまり、ユーザーはカメラ本体１００の背面側から表示画面を目視することができる。図２（ｄ）に示す状態（第４の状態）では、背面モニタ１０５は、カメラ本体１００に収納されない状態でかつ表示画面がカメラ本体１００の正面側に向けられている。つまり、ユーザーはカメラ本体１００の背面側から表示画面を目視することができない。なお、背面モニタ１０５に備えられたタッチパネル１０５ａは図２（ａ）、図２（ｃ）、および図２（ｄ）の状態で操作可能とある。
【００３４】
再び図１を参照して、ＥＶＦ（接眼ファインダー）１０７は画像などをモニタする際に用いられ、例えば、有機ＥＬ又は液晶ディスプレイによって構成される。近接検出センサー（接眼検知センサー）１０８は、例えば、赤外線を用いた近接センサーであり、投光部及び受光部を備えている。ＥＶＦ１０７に人物などの物体が接近すると、投光部から投光された赤外光が物体で反射して、受光部に入射する。ＣＰＵ１０１は受光部で受けた反射光の光量を測定して物体までの距離を求める。
【００３５】
レンズユニット１１０には、マイクロコンピュータ（レンズマイコン：ＬＰＵ）１１１およびレンズ群１１２が備えられており、ＬＰＵ１１１はＣＰＵ１０１と通信を行って、例えば、被写体までの距離を示す距離情報をＣＰＵ１０１に送る。また、ＣＰＵ１０１はＬＰＵ１１１によってレンズユニット１１０を制御する。
【００３６】
図３は、図１に示すカメラで行われる撮影動作を説明するためのフローチャートである。なお、図示のフローチャートおける各処理は、ＣＰＵ１０１がＲＯＭ１０２ｂに格納されたプログラムをＲＡＭ１０２ａに展開して実行することによって行われる。
【００３７】
Ｓ３０１では、カメラの電源がオンされる。これによって、Ｓ３０２では、ＣＰＵ１０１は、接眼検出センサー１０８によって検出されたユーザーとＥＶＦ１０７との距離（接眼距離）が所定の接眼閾値Ｔｈ１よりも小さいか否かを判定する。小さい場合はＳ３０３に進み、そうでない場合はＳ３０４に進む。
【００３８】
接眼閾値Ｔｈ１は、図２に示す背面モニタ１０５の状態に応じて設定することが望ましい。例えば、背面モニタ１０５の状態が図２（ａ）に示す状態の場合には、ユーザーがＥＶＦ１０７で被写体をモニタし、さらに、背面モニタ１０５で被写体をモニタする可能性が高い。よって、この場合には、ＥＶＦ１０７および背面モニタ１０５の双方でモニタする可能性を考慮して、閾値を決定する。例えば、接眼閾値Ｔｈ１は、１０ｃｍ程度に設定される。
【００３９】
背面モニタ１０５の状態が図２（ｂ）に示す状態の場合、背面モニタ１０５によってモニタすることはできないので、ユーザーはＥＶＦ１０７で被写体をモニタする可能性が極めて高い。図２（ｂ）示す状態の場合には、図２（ａ）に示す状態に比べて接眼閾値Ｔｈ１を大きくする。これによって、接眼を早く検出してＥＶＦ１０７に画像などを表示するまでの時間を短くする。図２（ｂ）示す状態の場合には、接眼閾値Ｔｈ１は、例えば、２０ｃｍ程度に設定される。
【００４０】
背面モニタ１０５の状態が図２（ｃ）に示す状態の場合、一般にハイアングル又はローアングルによる撮影が行われることが多い。よって、この場合には、図２（ａ）および図２（ｂ）に示す状態と比べてＥＶＦ１０７によるモニタの可能性が低い。よって、図２（ｃ）示す状態の場合には、図２（ａ）に示す状態に比べて接眼閾値Ｔｈ１を小さくする。これによって、ユーザーの腕およびカメラのストラップなどを誤検出することを防止する。図２（ｃ）示す状態の場合には、接眼閾値Ｔｈ１は、例えば、７．５ｃｍ程度に設定される。
【００４１】
背面モニタ１０５の状態が図２（ｄ）に示す状態の場合、一般に自分撮りなどが行われることが多い。よって、この場合には、図２（ａ）および図２（ｃ）に示す状態と比べてＥＶＦ１０７によるモニタの可能性がさらに低い。よって、図２（ｄ）示す状態の場合には、図２（ｃ）に示す状態に比べて接眼閾値Ｔｈ１を小さくする。これによって、さらにユーザーの腕およびカメラのストラップなどを誤検出することを防止する。図２（ｄ）示す状態の場合には、接眼閾値Ｔｈ１は、例えば、５ｃｍ程度に設定される。
【００４２】
Ｓ３０３では、ＣＰＵ１０１は背面モニタ１０５をオフとして、ＥＶＦ１０７をオンしてライブビューを開始する。Ｓ３０４では、ＣＰＵ１０１はＥＶＦ１０７をオフとして、背面モニタ１０５をオンしてライブビューを開始する。
【００４３】
Ｓ３０５では、ＣＰＵ１０１はタッチパネル１０５ａに対するタッチ操作があったか否かを判定する。タッチ操作があった場合はＳ３０６に進み、そうでない場合はＳ３１０に進む。
【００４４】
Ｓ３０６では、ＣＰＵ１０１は、タッチ操作によるタッチ領域の面積を算出する。タッチ領域の面積Ｓを算出する際には、ＣＰＵ１０１は、前述の式（５）および式（６）を用いて、次の式（８）によって面積Ｓを算出する。
Ｓ＝ａｂπ      （８）
【００４５】
Ｓ３０７では、ＣＰＵ１０１はタッチ領域ＴＡの領域面積（タッチ面積）Ｓが面積閾値Ｔｈ２より小さいか否かを判定する（つまり、所定面積未満であるか否かを判定する）。小さい場合はＳ３０８に進み、そうでない場合は（所定面積以上の場合）Ｓ３０９に進む。
【００４６】
面積閾値Ｔｈ２は、例えば、一般的な成人の指先でタッチ操作した際の領域面積Ｓａと指の第一関節よりも先の領域（指の腹）でタッチ操作した際の領域面積Ｓｂとの中間の面積に設定される。つまり、面積閾値Ｔｈ２は次の式（９）で設定される。
Ｔｈ２＝（Ｓａ＋Ｓｂ）／２      （９）
【００４７】
なお、予めユーザー毎に指先の領域面積Ｓａと指の第一関節よりも先の領域全体の面積Ｓｂとを登録して、当該登録情報に応じてユーザー毎に面積閾値Ｔｈ２を決定するようにしてもよい。
【００４８】
Ｓ３０８では、ＣＰＵ１０１はユーザーのタッチ操作によるフォーカスエリアの選択を受け付ける（位置の指定を受け付ける）。
【００４９】
図４は、図１に示すカメラで行われるタッチ操作に応じた処理を説明するための図である。そして、図４（ａ）および図４（ｂ）はフォーカスエリアの選択を示す図であり、図４（ｃ）および図４（ｄ）は拡大表示を示す図である。
【００５０】
図４（ａ）および図４（ｂ）を参照して、ユーザーが画面上の一人の被写体をタッチ操作する。この際、領域面積Ｓが面積閾値Ｔｈ２よりも小さい場合には、ＣＰＵ１０１はフォーカスエリアの選択であると判定する。そして、ＣＰＵ１０１は画面上にタッチ領域ＴＡに重ね合わせてフォーカスエリアＦＡを表示する。
【００５１】
ユーザーがタッチした状態で指を図４（ａ）に示す太線矢印の方向に移動して、タッチ位置を他の被写体に移動させると、ＣＰＵ１０１はフォーカスエリアＦＡを当該移動に応じて移動させる。つまり、ユーザーはタッチ操作に応じてフォーカスエリアＦＡを選択することができる。
【００５２】
Ｓ３０９では、ＣＰＵ１０１は画面に表示された画像を拡大して表示する。
【００５３】
図４（ｃ）および図４（ｄ）を参照して、いま、ユーザーが指の腹によってタッチ操作しているとする（図４（ｃ））。そして、ユーザーが、図４（ｄ）に示すようにタッチ領域ＴＡ（つまり、楕円の重心座標）をＥＶＦ１０７の方向（所定の方向）にタッチした状態で移動させると、ＣＰＵ１０１はフォーカスエリアの位置を中心として画像を拡大して表示する。
【００５４】
一方、ＥＶＦ１０７と逆の方向にタッチ領域ＴＡを移動させると、ＣＰＵ１０１は画像を縮小して表示する。なお、重心座標の移動量に応じて、ＣＰＵ１０１は画像の拡大率を変更する。
【００５５】
図５は、図１に示すカメラにおける画像の拡大表示の他の例を説明するための図である。そして、図５（ａ）は重心座標の移動方向による拡大率の変更の一例を示す図であり、図５（ｂ）は重心座標の移動方向による拡大率の変更の他の例を示す図である。
【００５６】
図５においては、重心座標の移動方向に応じて画像の拡大率が変更される。図５（ａ）に示す例では、タッチ領域ＴＡ（楕円）の重心座標がＥＶＦ１０７の方向（図中上方向：楕円の短軸方向）に移動すると、ＣＰＵ１０１は、その移動に応じて拡大率を５倍、１０倍、および１５倍に順次変更する。
【００５７】
一方、楕円の重心座標がグリップ方向（図中右方向：楕円の長軸方向）に移動すると、ＣＰＵ１０１は、その移動に応じて拡大率を２倍、３倍、および４倍に順次変更する。
【００５８】
このようにして拡大表示を行えば、ユーザーはマニュアルで合焦状態を微調整するこができる。
【００５９】
Ｓ３１０では、ＣＰＵ１０１はレリーズスイッチ（図示せず）がオンとなって撮影指示が行われたか否かを判定する。レリーズスイッチがオンの場合はＳ３１１に進み、そうでない場合にはＳ３０５に戻る。
【００６０】
Ｓ３１１では、ＣＰＵ１０１は撮影処理（レリーズ動作）を行う。そして、ＣＰＵ１０１は撮影動作を終了する。
【００６１】
なお、上述の説明では、ＥＶＦ１０７を有するカメラについて説明したが、ＥＶＦ１０７を備える必要はなく、背面モニタ（表示部）１０５のみを備えるカメラにも同様にして適用することができる。この場合には、Ｓ３０２〜Ｓ３０４の処理は不要となり、カメラの電源オンによって背面モニタ１０５をオンするようにすればよい。
【００６２】
このように、本発明の実施の形態では、タッチ領域の面積が所定の面積閾値以上であると、画像を拡大処理し、その際、タッチ領域の移動方向などに応じて拡大率を変更する。これによって、簡単な操作でユーザーが意図する被写体を所望の倍率で拡大処理することができ、合焦状態の確認を容易に行うことができる。
【００６３】
なお、ＣＰＵが行うものとして説明した上述の各種制御は１つのハードウェアが行ってもよいし、複数のハードウェア（例えば、複数のプロセッサーや回路）が処理を分担することで、装置全体の制御を行ってもよい。
【００６４】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００６５】
また、上述した実施形態においては、本発明を電子機器の１つである撮像装置に適用した場合を例にして説明したが、これはこの例に限定されず、表示部に画像を表示してタッチ操作に応じて所定の領域を拡大処理する電子機器であれば適用可能である。すなわち、本発明はパーソナルコンピュータやＰＤＡ、スマートフォンなどの携帯電話端末や携帯型の画像ビューワ、ディスプレイを備えるプリンタ装置、デジタルフォトフレーム、ゲーム機、電子ブックリーダーなどに適用可能である。
【００６６】
また、撮像装置本体に限らず、有線又は無線通信を介して撮像装置（ネットワークカメラを含む）と通信し、撮像装置を遠隔で制御する制御装置にも本発明を適用可能である。撮像装置を遠隔で制御する装置としては、例えば、スマートフォンやタブレットＰＣ、デスクトップＰＣなどの装置がある。制御装置側で行われた操作や制御装置側で行われた処理に基づいて、制御装置側から撮像装置に各種動作や設定を行わせるコマンドを通知することにより、撮像装置を遠隔から制御可能である。また、撮像装置で撮影したライブビュー画像を有線または無線通信を介して受信して制御装置側で表示できるようにしてもよい。
【００６７】
［他の実施形態］
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【００６８】
１００  カメラ本体（撮像装置本体）
１０１  ＣＰＵ（カメラマイコン）
１０３  撮像素子
１０５  背面モニタ
１０７  電子ビューファインダー（ＥＶＦ）
１０８  近接検出センサー
１１０  レンズユニット
【図１】
2019125850.tif 000008
【図２】
2019125850.tif 000009
【図３】
2019125850.tif 000010
【図４】
2019125850.tif 000011
【図５】
2019125850.tif 000012